(57)【要約】【課題】情報端末のおかれた状態に応じて、適切な画面を表示できる表示方法を提供する。【解決手段】情報端末１０の表示部１２に画面を表示する表示方法は、情報端末１０が施設５０に設けられたゲートウェイ装置３０と第１の通信路により通信可能であるとき、表示部１２に第１画面を表示し、情報端末１０がゲートウェイ装置３０と第１の通信路により通信不可能であるとき、表示部１２に第１画面と異なる第２画面を表示する。【選択図】図１
2019153883.tif 000002
【特許請求の範囲】
【請求項１】
情報端末の表示部に画面を表示する表示方法であって、
前記情報端末が施設に設けられたゲートウェイ装置と第１の通信路により通信可能であるとき、前記表示部に第１画面を表示し、
前記情報端末が前記ゲートウェイ装置と前記第１の通信路により通信不可能であるとき、前記表示部に前記第１画面と異なる第２画面を表示する、
表示方法。
【請求項２】
前記第１の通信路は、前記施設内で用いられる通信路である、
請求項１に記載の表示方法。
【請求項３】
前記第１の通信路は、前記施設におけるアクセスポイントの無線ＬＡＮ（Ｌｏｃａｌ  Ａｒｅａ  Ｎｅｔｗｏｒｋ）を介する通信路である、
請求項２に記載の表示方法。
【請求項４】
前記情報端末が前記ゲートウェイ装置と、前記第１の通信路により通信不可能であるときであって、モバイル通信を介する第２の通信路により通信可能であるとき、前記表示部に前記第２画面を表示する、
請求項１〜３のいずれか１項に記載の表示方法。
【請求項５】
前記情報端末が前記ゲートウェイ装置と、前記第１の通信路により通信不可能であるときであって、前記施設外におけるアクセスポイントの無線ＬＡＮを介する第３の通信路により通信可能であるとき、前記表示部に前記第２画面を表示する、
請求項１〜４のいずれか１項に記載の表示方法。
【請求項６】
前記第１画面は、第１の状態にある前記情報端末から前記施設に設けられた機器を制御するための画像を含み、
前記第２画面は、前記第１の状態とは異なる第２の状態にある前記情報端末から前記施設に設けられた機器を制御するための画像を含む、
請求項１〜５のいずれか１項に記載の表示方法。
【請求項７】
前記第１の状態は、前記施設内に存在するという状態であり、
前記第２の状態は、前記施設外に存在するという状態である、
請求項６に記載の表示方法。
【請求項８】
前記情報端末が前記ゲートウェイ装置と前記第１の通信路により通信可能な状態から通信不可能な状態、または、通信不可能な状態から通信可能な状態に変化したとき、前記表示部に通信状態が切り替えられたことを示す第３画面を表示する、
請求項１〜７のいずれか１項に記載の表示方法。
【請求項９】
前記第１画面および前記第２画面は、前記情報端末において所定のアプリケーションを起動しているときに表示される画面であり、
前記所定のアプリケーションを前記情報端末のバックグラウンドで起動しているときには、前記表示部に前記第３画面を表示しない、
請求項８に記載の表示方法。
【請求項１０】
前記第１の通信路による通信は、前記情報端末において有効または無効を切り替えられるものである、
請求項１〜９のいずれか１項に記載の表示方法。
【請求項１１】
請求項１〜１０のいずれか１項に記載の表示方法をコンピュータに実行させるためのプログラム。
【発明の詳細な説明】
【技術分野】
【０００１】
本発明は、情報端末の表示部に画面を表示する表示方法およびそのプログラムに関する。
【背景技術】
【０００２】
従来、施設に設けられたゲートウェイ装置を介して、ゲートウェイ装置に接続された施設内の機器を携帯端末等の情報端末から制御する機器制御システムが開示されている（例えば、特許文献１）。これにより、ユーザが外出しているときでも、外出先から情報端末を操作して施設内の機器を制御できる。
【先行技術文献】
【特許文献】
【０００３】
【特許文献１】特開２０１０−０９８３７４号公報
【発明の概要】
【発明が解決しようとする課題】
【０００４】
例えば、施設内の機器の制御は、情報端末の表示部に表示された画面を操作することで行われる。このとき、ユーザが外出している場合と、施設に居る場合とで、施設内の機器について、制御内容や制御対象を異なるものにしたい（言い換えると、異なる画面を表示したい）という要望がある。例えば、照明器具の制御内容について、ユーザが施設に居る場合には、オンオフだけでなく調光や調色等の制御もしたいが、外出している場合には、オンオフだけの制御でよいといったものである。また、例えば、ユーザが施設に居る場合には、ガス機器は制御対象として不要だが、外出している場合には、ガス機器の制御（ガス遮断）をしたいといったものである。
【０００５】
これに対して、上記従来の機器制御システムでは、ユーザが携帯する情報端末が施設内に存在するか施設外に存在するかを、情報端末が無線ＬＡＮ（Ｌｏｃａｌ  Ａｒｅａ  Ｎｅｔｗｏｒｋ）により通信可能となっている否かによって判定している。具体的には、情報端末が無線ＬＡＮにより通信可能となっている場合、情報端末が施設内に存在すると判定され、情報端末が無線ＬＡＮにより通信可能となっていない場合（例えば、モバイル通信により通信可能となっている場合）、情報端末が施設外に存在すると判定される。
【０００６】
しかしながら、情報端末が施設外に存在する場合であっても、公衆のアクセスポイントを介して、情報端末が無線ＬＡＮにより通信可能となる場合があり、情報端末が施設内に存在すると誤判定されて、情報端末の表示部に意図しない画面が表示されるおそれがある。
【０００７】
本発明は、情報端末のおかれた状態に応じて、適切な画面を表示できる表示方法等を提供することを目的とする。
【課題を解決するための手段】
【０００８】
上記目的を達成するために、本発明の一形態に係る表示方法は、情報端末の表示部に画面を表示する表示方法であって、前記情報端末が施設に設けられたゲートウェイ装置と第１の通信路により通信可能であるとき、前記表示部に第１画面を表示し、前記情報端末が前記ゲートウェイ装置と前記第１の通信路により通信不可能であるとき、前記表示部に前記第１画面と異なる第２画面を表示する。
【０００９】
上記目的を達成するために、本発明の一形態に係るプログラムは、上記の表示方法をコンピュータに実行させるためのプログラムである。
【発明の効果】
【００１０】
本発明の一態様に係る表示方法等によれば、情報端末のおかれた状態に応じて、適切な画面を表示できる。
【図面の簡単な説明】
【００１１】
【図１】図１は、実施の形態に係る表示方法が適用された機器制御システムの一例を示す図である。
【図２】図２は、実施の形態に係る情報端末の一例を示す構成図である。
【図３】図３は、実施の形態に係る情報端末の動作の一例を示すフローチャートである。
【図４Ａ】図４Ａは、第１画面の一例を示す図である。
【図４Ｂ】図４Ｂは、第１画面の他の一例を示す図である。
【図５Ａ】図５Ａは、第２画面の一例を示す図である。
【図５Ｂ】図５Ｂは、第２画面の他の一例を示す図である。
【図６】図６は、実施の形態に係る情報端末の第１画面表示時の動作の一例を示すフローチャートである。
【図７】図７は、第３画面の一例を示す図である。
【図８】図８は、実施の形態に係る情報端末の第２画面表示時の動作の一例を示すフローチャートである。
【図９】図９は、第３画面の他の一例を示す図である。
【図１０Ａ】図１０Ａは、実施の形態に係る情報端末の動作の具体例を説明するための図である。
【図１０Ｂ】図１０Ｂは、図１０Ａにおける各判定時の判定内容を示す図である。
【発明を実施するための形態】
【００１２】
以下、実施の形態について、図面を参照しながら説明する。ここで示す実施の形態は、いずれも本発明の一具体例を示すものである。従って、以下の実施の形態で示される数値、形状、構成要素、構成要素の配置及び接続形態、並びに、ステップ（工程）及びステップの順序等は、一例であって本発明を限定するものではない。以下の実施の形態における構成要素のうち、独立請求項に記載されていない構成要素については、任意に付加可能な構成要素である。また、各図は、模式図であり、必ずしも厳密に図示されたものではない。
【００１３】
（実施の形態）
［構成］
以下、実施の形態について図１から図９Ｂを用いて説明する。
【００１４】
図１は、実施の形態に係る表示方法が適用された機器制御システムの一例を示す図である。実施の形態に係る表示方法は、情報端末１０の表示部に画面を表示する方法である。なお、画面とは、表示部（ディスプレイ等）全体に表示されるコンテンツのことである。
【００１５】
機器制御システムは、情報端末１０によって施設５０に設けられた機器を制御するためのシステムである。機器制御システムによれば、ユーザが施設５０内に居るときだけでなく外出しているときにも、情報端末１０を用いて、機器の制御、機器の動作状態の確認、および、センサ（空気質センサ等）の検出結果の確認等が可能となる。
【００１６】
施設５０は、ユーザが生活する施設であり、例えば、戸建てまたは集合住宅等であるが、特に限定はされない。施設５０には、アクセスポイント（ＡＰ）２０、ゲートウェイ装置３０および様々な機器が設けられている。当該様々な機器として、ここでは、配電盤４１、照明器具４２、空調設備４３、ガス遮断器４４および電動カーテン４５等を示している。
【００１７】
ＡＰ２０は、情報端末１０およびその他の機器（ノートパソコン、ゲーム機等）を、インターネット等のネットワークＮに接続するための無線機である。なお、ここでは、ＡＰ２０はルータ機能を有しておりネットワークＮとＡＰ２０とが直接接続されているが、ＡＰ２０はルータ機能を有さなくてもよく、ルータが別体に設けられていてもよい。ＡＰ２０は、例えば、無線ＬＡＮ（例えば、Ｗｉ−Ｆｉ（登録商標）等）のアクセスポイントである。
【００１８】
情報端末１０は、ＡＰ２０の通信範囲内にあるときは、ゲートウェイ装置３０と、施設５０内で用いられる通信路であって、施設５０におけるＡＰ２０の無線ＬＡＮを介する第１の通信路により通信可能となる。第１の通信路は、例えば、サーバを介さずにゲートウェイ装置３０と通信するための経路である。ＡＰ２０とゲートウェイ装置３０とはサーバを介さず接続されているため、ゲートウェイ装置３０はＡＰ２０の配下にあるといえる。なお、第１の通信路による通信は、情報端末１０において有効または無効を切り替えられるものであってもよい。情報端末１０は、ＡＰ２０の通信範囲外にあるときは、ゲートウェイ装置３０と第１の通信路により通信不可能となる。例えば、情報端末１０は、ゲートウェイ装置３０と第１の通信路により通信不可能となる場合に、ゲートウェイ装置３０とモバイル通信（例えば、ＬＴＥ（Ｌｏｎｇ  Ｔｅｒｍ  Ｅｖｏｌｕｔｉｏｎ）、第４世代移動通信システム（４Ｇ）、第３世代移動通信システム（３Ｇ）等）を介する第２の通信路により通信可能となる。また、例えば、情報端末１０は、ゲートウェイ装置３０と第１の通信路により通信不可能となる場合に、周辺に公衆のＡＰ２００等があるときには、ゲートウェイ装置３０と施設５０外におけるＡＰ２００の無線ＬＡＮを介する第３の通信路により通信可能となる。第２の通信路および第３の通信路は、例えば、サーバを介してゲートウェイ装置３０と通信するための経路である。つまり、情報端末１０がゲートウェイ装置３０と第２の通信路または第３の通信路により通信可能であるときには、情報端末１０はゲートウェイ装置３０から情報を直接取得するのではなく、サーバを介して取得する。ＡＰ２００とゲートウェイ装置３０とはサーバを介して接続されているため、ゲートウェイ装置３０はＡＰ２００の配下にないといえる。
【００１９】
なお、情報端末１０が飛行機内にある場合にも、第２の通信路または第３の通信路によりゲートウェイ装置３０と通信可能となることがあるが、情報端末１０がいわゆる機内モード等の通信機能がオフの状態や通信ができない状態にあるときには、第１の通信路、第２の通信路および第３の通信路のいずれの通信路によってもゲートウェイ装置３０と通信不可能となる。
【００２０】
ゲートウェイ装置３０は、施設５０に設けられた配電盤４１、照明器具４２、空調設備４３、ガス遮断器４４および電動カーテン４５等の機器が接続され、接続された機器を管理、制御等する機能を有するホームゲートウェイである。ゲートウェイ装置３０とこれらの機器とは、有線（例えばＲＳ−４８５等）で通信可能となっている。なお、ゲートウェイ装置３０とこれらの機器とが無線により通信可能となっていてもよい。また、ゲートウェイ装置３０はＡＰ２０と接続され、ＡＰ２０と有線（例えばイーサネット（登録商標）等）で通信可能となっている。このように、ゲートウェイ装置３０は、コンピュータネットワークをプロトコルの異なるネットワークと接続するためのネットワークノードとしての機能を有し、かつ、接続された配電盤４１、照明器具４２、空調設備４３、ガス遮断器４４および電動カーテン４５等の機器を制御する機能を有する。ゲートウェイ装置３０は、ＡＰ２０を介して情報端末１０と通信可能となっており、情報端末１０からの施設５０に設けられた機器の制御指示に基づいて、当該機器を制御する。また、ゲートウェイ装置３０は当該機器の動作状態を示す情報（例えば、照明器具４２が点灯状態であることを示す情報等）を取得し、当該情報を情報端末１０に送信する。具体的には、ゲートウェイ装置３０は、配電盤４１、照明器具４２、空調設備４３、ガス遮断器４４および電動カーテン４５について、以下の動作をする。
【００２１】
ゲートウェイ装置３０は、配電盤４１から施設５０に設けられた機器の電力使用状況等を示す情報を取得し、当該情報を情報端末１０へ送信する。
【００２２】
ゲートウェイ装置３０は、照明器具４２から動作状態（点灯中、消灯中、出力する光の調光率、色温度等）を示す情報を取得し、当該情報を情報端末１０へ送信する。また、ゲートウェイ装置３０は、情報端末１０から照明器具４２への制御指示（点灯指示、消灯指示、調光率変更指示、色温度変更指示等）を受信し、当該制御指示に基づいて照明器具４２を制御する。
【００２３】
ゲートウェイ装置３０は、空調設備４３から動作状態（稼働中、停止中、設定温度等）を示す情報を取得し、当該情報を情報端末１０へ送信する。また、ゲートウェイ装置３０は、情報端末１０から空調設備４３への制御指示（稼働指示、停止指示、設定温度更指示等）を受信し、当該制御指示に基づいて空調設備４３を制御する。
【００２４】
ゲートウェイ装置３０は、ガス遮断器４４から動作状態（ガス遮断中、ガス非遮断中）を示す情報を取得し、当該情報を情報端末１０へ送信する。また、ゲートウェイ装置３０は、情報端末１０からガス遮断器４４への制御指示（ガス遮断指示等）を受信し、当該制御指示に基づいてガス遮断器４４を制御する。
【００２５】
ゲートウェイ装置３０は、電動カーテン４５から開閉状態を示す情報を取得し、当該情報を情報端末１０へ送信する。また、ゲートウェイ装置３０は、情報端末１０から電動カーテン４５への開閉指示を受信し、当該開閉指示に基づいて電動カーテン４５の開閉制御をする。
【００２６】
次に、情報端末１０について、図２を用いて説明する。
【００２７】
図２は、実施の形態に係る情報端末１０の一例を示す構成図である。
【００２８】
情報端末１０は、制御部１１（プロセッサ（マイクロプロセッサ））、メモリ１３、通信インタフェース（図示しない通信回路等）、ユーザインタフェース（表示部１２等）等を含むコンピュータであり、例えば、スマートフォンまたはタブレット等の携帯端末である。ユーザインタフェースは、例えば、ＬＣＤ（Ｌｉｑｕｉｄ  Ｃｒｙｓｔａｌ  Ｄｉｓｐｌａｙ）等のディスプレイ、または、キーボード、タッチパネル等の入力装置を含む。表示部１２は、例えば、タッチパネルディスプレイである。メモリ１３は、ＲＯＭ、ＲＡＭ等であり、制御部１１により実行される制御プログラム（コンピュータプログラム）を記憶することができる。例えば制御部１１が、制御プログラム（コンピュータプログラム）に従って動作することにより、通信インタフェースおよび表示部１２等を制御する処理を行う。
【００２９】
［動作（起動時）］
ここで、実施の形態に係る表示方法を実施する情報端末１０の動作について、図３を用いて説明する。
【００３０】
図３は、実施の形態に係る情報端末１０の動作の一例を示すフローチャートである。例えば、図３では、情報端末１０において、あるアプリケーション（例えば管理アプリケーションと呼ぶ）が起動されたときの情報端末１０の動作の一例を示している。管理アプリケーションは、例えば、情報端末１０を用いて、施設５０に設けられた機器の制御、動作状態の確認、および、センサ（空気質センサ等）の検出結果の確認等が可能となるプログラムである。なお、以下では、機器の制御に着目して説明をする。
【００３１】
まず、制御部１１は、情報端末１０がゲートウェイ装置３０と第１の通信路により通信可能であるか否かを判定する（ステップＳ１１）。第１の通信路は、例えば、施設５０におけるＡＰ２０の無線ＬＡＮを介する通信路である。例えば、当該判定は、定期的に行われたり、情報端末１０に対して特定の操作が行われたタイミングで行われたりするが、詳細については後述する図１０Ａおよび図１０Ｂで説明する。
【００３２】
制御部１１は、情報端末１０がゲートウェイ装置３０と第１の通信路により通信可能であるとき（ステップＳ１１でＹｅｓ）、表示部１２に第１画面を表示する（ステップＳ１２）。例えば、制御部１１が、ゲートウェイ装置３０に対して予め定められた識別情報を、取得したか否かに応じて、第１の通信路により通信可能であるか否かが判定される。例えば、情報端末１０は、ＡＰの配下にある（ＡＰとサーバを介さずに接続されている）ゲートウェイ装置３０を宛先として、識別情報を返信させるコマンドを送信する。ＡＰ２０は、当該コマンドを取得した場合、配下にあるゲートウェイ装置３０へ当該コマンドを送信し、ゲートウェイ装置３０は識別情報を情報端末１０へ返信する。したがって、制御部１１は、ゲートウェイ装置３０に対して予め定められた識別情報を取得するため、第１の通信路により通信可能であると判定する。第１画面については、後述する図４Ａおよび図４Ｂで詳細に説明する。
【００３３】
制御部１１は、情報端末１０がゲートウェイ装置３０と、第１の通信路により通信不可能であるとき（ステップＳ１１でＮｏ）、表示部１２に第１画面と異なる第２画面を表示する（ステップＳ１３）。情報端末１０がゲートウェイ装置３０と第１の通信路により通信不可能であっても、例えば、モバイル通信を介する第２の通信路により通信可能な場合や、施設５０外におけるＡＰ２００の無線ＬＡＮを介する第３の通信路により通信可能な場合がある。例えば、情報端末１０がゲートウェイ装置３０と第１の通信路により通信不可能である場合に、情報端末１０が無線ＬＡＮによる信号を受信しておらずモバイル通信を用いるときには、第２の通信路による通信が行われる。また、例えば、情報端末１０がゲートウェイ装置３０と第１の通信路により通信不可能である場合には、制御部１１が、ゲートウェイ装置３０に対して予め定められた識別情報を取得したか否かに応じて、第３の通信路による通信が行われる。例えば、情報端末１０は、ＡＰの配下にある（ＡＰとサーバを介さずに接続されている）ゲートウェイ装置３０を宛先として、識別情報を返信させるコマンドを送信する。ＡＰ２００は、当該コマンドを取得した場合、配下にゲートウェイ装置３０がいないため、ゲートウェイ装置３０に当該コマンドを送信せず、ゲートウェイ装置３０は識別情報を情報端末１０へ返信しない。したがって、制御部１１は、ゲートウェイ装置３０に対して予め定められた識別情報を取得できず、情報端末１０がゲートウェイ装置３０と第１の通信路により通信不可能であると判定し、第３の通信路による通信が行われる。第２画面については、後述する図５Ａおよび図５Ｂで詳細に説明する。
【００３４】
次に、第１画面および第２画面について説明する。第１画面および第２画面は、情報端末１０において所定のアプリケーション（ここでは管理アプリケーション）をフォアグラウンドで起動しているときに、表示部１２に表示されてユーザに操作される画面である。
【００３５】
図４Ａは、第１画面の一例を示す図である。図４Ａでは、第１画面として後述する基本画面が示されている。
【００３６】
第１画面は、例えば、第１の状態にある情報端末１０から施設５０に設けられた機器を制御するための画像を含む。第１の状態は、施設５０内に存在するという状態であり、つまり、情報端末１０を携帯するユーザが施設５０内に居るという状態である。したがって、第１画面は、施設５０内に居るユーザが例えば快適に過ごすことができるように、施設５０に設けられた機器に対して望まれる制御を可能とするための画面となる。例えば、ユーザが施設５０内に居る場合、施設５０に設けられた機器について、より細かな制御等ができることが望まれる。例えば照明器具４２に着目すると、単なるオンオフだけでなく、調光率等の制御もできることが望まれる。したがって、第１画面は、施設５０に設けられた機器について、より細かな制御等ができる画面であり、当該画面に含まれる画像は、当該細かな制御等を行うためにユーザに操作される画像（アイコン）となる。
【００３７】
図４Ａに示されるように、表示部１２に表示された第１画面には、宅内アイコン１０１、場所指定アイコン１１１〜１１４、表示変更アイコン１１５、１１６が含まれる。宅内アイコン１０１は、情報端末１０が第１の状態にあることを示しており、ユーザは、宅内アイコン１０１が表示されていることから、施設５０に設けられた機器に対して、ユーザが施設５０内に居るとき用の制御が可能であることがわかる。場所指定アイコン１１１〜１１４は、施設５０のリビング・ダイニング、子供部屋、寝室、書斎に居るユーザが例えば快適に過ごすことができるように、施設５０に設けられた機器を制御するためのアイコンである。場所指定アイコン１１１〜１１４のいずれかが操作されることで、対応する場所を例えば快適にするための制御が施設５０に設けられた機器に対して行われる。例えば、場所指定アイコン１１１が操作されることで、リビング・ダイニングにおいてユーザが快適に過ごすことができるように、施設５０に設けられた機器が制御される。表示変更アイコン１１５、１１６は、例えば数多くの場所指定アイコンがあってこれらを１つの画面に表示しきれない場合に、表示部１２の表示内容を変更するためのアイコンである。例えば、表示変更アイコン１１５または１１６が操作されることで、場所指定アイコン１１１〜１１４とは異なる場所指定アイコンが表示される。
【００３８】
このように、第１画面は、第１の状態にある情報端末１０から施設５０に設けられた機器を制御するための画像を含む画面であって、例えば、当該機器を制御することで快適な状態にしたい場所を選択する画面（基本画面と呼ぶ）である。
【００３９】
なお、第１画面は、基本画面に限らず、具体的な制御内容を選択するための画面（制御画面と呼ぶ）であってもよい。
【００４０】
図４Ｂは、第１画面の他の一例を示す図である。図４Ｂでは、第１画面として制御画面が示されている。具体的には、図４Ａに示される場所指定アイコン１１１（リビング・ダイニング指定アイコン）が選択された後に表示される画面である。なお、第１画面として、基本画面を経由せずに直接制御画面が表示されてもよい。
【００４１】
図４Ｂに示されるように、表示部１２に表示された第１画面には、宅内アイコン１０１、制御内容指定アイコン１２１〜１２４、表示変更アイコン１２５、１２６が含まれる。制御内容指定アイコン１２１〜１２４は、ユーザの生活シーンに合わせて施設５０に設けられた機器の制御内容を指定するためのアイコンである。制御内容指定アイコン１２１〜１２４のいずれかが操作されることで、例えばリビング・ダイニングを、操作された制御内容指定アイコンに対応する生活シーンに合わせた制御が施設５０に設けられた機器に対して行われる。例えば、制御内容指定アイコン１２３が操作されることで、ユーザが例えば快適に起床できるように、施設５０に設けられた機器が制御される。具体的には、照明器具４２から出力される光の調光率が起床時刻前から起床時刻に向けて徐々に大きくなるように制御されたり、電動カーテン４５が起床時刻に合わせて開くように制御されたりする。表示変更アイコン１２５、１２６は、例えば数多くの制御内容指定アイコンがあってこれらを１つの画面に表示しきれない場合に、表示部１２の表示内容を変更するためのアイコンである。例えば、表示変更アイコン１２５または１２６が操作されることで、制御内容指定アイコン１２１〜１２４とは異なる制御内容指定アイコンが表示される。
【００４２】
図５Ａは、第２画面の一例を示す図である。図５Ａでは、第２画面として基本画面が示されている。
【００４３】
第２画面は、例えば、第２の状態にある情報端末１０から施設５０に設けられた機器を制御するための画像を含む。第２の状態は、施設５０外に存在するという状態であり、つまり、情報端末１０を携帯するユーザが外出しているという状態である。したがって、第２画面は、外出しているユーザが、外出中にもかかわらず施設５０に設けられた機器に対して行いたいと考える制御を可能とするための画面となる。例えば、ユーザが外出している場合、施設５０に設けられた機器について、オフし忘れていた機器をオフする制御、または、防犯のための制御等ができることが望まれる。具体的には、オン状態の機器をオフする制御として、例えば、外出先からガス遮断器４４によるガスの遮断や照明器具４２の消灯をすることが考えられる。また、防犯のための制御として、例えば、照明器具４２または電動カーテン４５をあたかも施設５０に人が居るように見えるように制御することが考えられる。したがって、第２画面は、施設５０に設けられた機器について、外出先からの制御等ができる画面であり、当該画面に含まれる画像は、外出先からの制御等を行うためにユーザに操作される画像（アイコン）となる。
【００４４】
図５Ａに示されるように、表示部１２に表示された第２画面には、宅外アイコン１０２、場所指定アイコン１３１〜１３５、表示変更アイコン１１５、１１６が含まれる。宅外アイコン１０２は、情報端末１０が第２の状態にあることを示しており、ユーザは、宅外アイコン１０２が表示されていることから、施設５０に設けられた機器に対して、ユーザが外出しているとき用の制御が可能であることがわかる。場所指定アイコン１３１〜１３５は、施設５０のリビング・ダイニング、子供部屋、寝室、書斎もしくは家（施設５０）全体について、オン状態の機器をオフする制御、または、防犯のための制御等をするためのアイコンである。例えば、場所指定アイコン１３５が操作されることで、施設５０全体において、オン状態の機器をオフする制御、または、防犯のための制御がされる。表示変更アイコン１１５、１１６は、例えば数多くの場所指定アイコンがあってこれらを１つの画面に表示しきれない場合に、表示部１２の表示内容を変更するためのアイコンである。例えば、表示変更アイコン１１５または１１６が操作されることで、場所指定アイコン１３１〜１３５とは異なる場所指定アイコンが表示される。
【００４５】
このように、第２画面は、第２の状態にある情報端末１０から施設５０に設けられた機器を制御するための画像を含む画面であって、例えば、オン状態の機器をオフする制御、または、防犯のための制御の対象となる場所を選択する画面（基本画面と呼ぶ）である。
【００４６】
なお、第２画面は、基本画面に限らず、具体的な制御内容を選択するための画面（制御画面と呼ぶ）であってもよい。
【００４７】
図５Ｂは、第２画面の他の一例を示す図である。図５Ｂでは、第２画面として制御画面が示されている。具体的には、図５Ａに示される場所指定アイコン１３５（家全体指定アイコン）が選択された後に表示される画面である。なお、第２画面として、基本画面を経由せずに直接制御画面が表示されてもよい。
【００４８】
図５Ｂに示されるように、表示部１２に表示された第２画面には、宅外アイコン１０２、制御内容指定アイコン１４１〜１４４、表示変更アイコン１２５、１２６が含まれる。制御内容指定アイコン１４１〜１４４は、ユーザの生活シーンに合わせて施設５０に設けられた機器の制御内容を指定するためのアイコンである。制御内容指定アイコン１４１〜１４４のいずれかが操作されることで、例えば家全体を、操作された制御内容指定アイコンに対応する生活シーンに合わせて、機器のオフ制御、防犯のための制御等が施設５０に設けられた機器に対して行われる。例えば、制御内容指定アイコン１４１が操作されることで、施設５０に設けられた機器について防犯のための制御が行われる。具体的には、人が居ない施設５０において、照明器具４２または電動カーテン４５があたかも施設５０に人が居るように見えるように制御される。例えば、時間の経過とともに照明器具４２が点灯または消灯されたり、電動カーテンが開閉されたりすることで、施設５０内を人が移動しているように見せかけることができる。表示変更アイコン１２５、１２６は、例えば数多くの制御内容指定アイコンがあってこれらを１つの画面に表示しきれない場合に、表示部１２の表示内容を変更するためのアイコンである。例えば、表示変更アイコン１２５または１２６が操作されることで、制御内容指定アイコン１４１〜１４４とは異なる制御内容指定アイコンが表示される。
【００４９】
また、第２画面には、宅外アイコン１０２のような、何かの状態を表すアイコンが他にも表示されてもよい。例えば、照明器具４２を消し忘れている状態を示す照明消し忘れアイコンや、ガス遮断を忘れている状態を示すガス遮断忘れアイコン等が表示されてもよい。これにより、ユーザはこのようなアイコンを見ることで照明の消し忘れやガス遮断忘れを認識でき、制御内容指定アイコンを操作することにより、すぐさま照明器具４２の消灯やガス遮断器４４によるガス遮断を行うことができる。
【００５０】
［動作（通信状態切り替え時）］
図３での説明では、管理アプリケーションが起動されたときに表示部１２に第１画面または第２画面が表示されたが、以下では、管理アプリケーションが起動された後、第１画面または第２画面が表示されている状態で情報端末１０の通信状態が変わったときの、表示部１２に表示される画面について、図６から図９を用いて説明する。まず、表示部１２に第１画面が表示されている状態における情報端末１０の動作について説明する。
【００５１】
図６は、実施の形態に係る情報端末１０の第１画面表示時の動作の一例を示すフローチャートである。図６でのフローチャートの開始時点では、表示部１２に第１画面が表示されているとする。つまり、情報端末１０がゲートウェイ装置３０と第１の通信路により通信可能である状態となっているとする。
【００５２】
まず、制御部１１は、情報端末１０がゲートウェイ装置３０と第１の通信路により通信可能であるか否かを判定する（ステップＳ２１）。例えば、管理アプリケーションが起動された後も、ステップＳ２１のように当該判定が行われる。
【００５３】
制御部１１は、情報端末１０がゲートウェイ装置３０と第１の通信路により通信可能であるとき（ステップＳ２１でＹｅｓ）、表示部１２において、第１画面の表示を維持する（ステップＳ２２）。
【００５４】
制御部１１は、情報端末１０がゲートウェイ装置３０と、第１の通信路により通信不可能であるとき（ステップＳ２１でＮｏ）、表示部１２に通信状態が切り替えられたことを示す第３画面を表示する（ステップＳ２３）。言い換えると、情報端末１０がゲートウェイ装置３０と第１の通信路により通信可能な状態から通信不可能な状態に変化したときには、表示部１２に第３画面を表示する。ここで、情報端末１０がゲートウェイ装置３０と第１の通信路により通信可能な状態から通信不可能な状態に変化したときに表示される第３画面について、図７を用いて説明する。
【００５５】
図７は、第３画面の一例を示す図である。図７では、表示部１２に、「ネットワークが宅外に切り替わりました。」と記載された画像１５１を含む第３画面が表示されていることが示されている。ユーザは画像１５１を確認することで、以後、第１画面による機器の制御等ができなくなり、第２画面による機器の制御等ができるようになることがわかる。
【００５６】
そして、制御部１１は、表示部１２に第２画面を表示する（ステップＳ２４）。例えば、図７に示される画像１５１の中の「了解」ボタン（アイコン）が操作されることで、制御部１１は、表示部１２に第２画面を表示する。また、「了解」ボタン（アイコン）が操作されなくても、時間経過により表示部１２に第２画面が表示されてもよい。なお、画像１５１に「了解」ボタンが含まれていなくてもよく、表示部１２に第３画面が表示された後、自動的に、第２画面が表示されてもよい。
【００５７】
次に、表示部１２に第２画面が表示されている状態における情報端末１０の動作について説明する。
【００５８】
図８は、実施の形態に係る情報端末１０の第２画面表示時の動作の一例を示すフローチャートである。図８でのフローチャートの開始時点では、表示部１２に第２画面が表示されているとする。つまり、情報端末１０がゲートウェイ装置３０と第１の通信路により通信不可能である状態となっているとする。
【００５９】
まず、制御部１１は、情報端末１０がゲートウェイ装置３０と第１の通信路により通信可能であるか否かを判定する（ステップＳ３１）。
【００６０】
制御部１１は、情報端末１０がゲートウェイ装置３０と第１の通信路により通信可能であるとき（ステップＳ３１でＹｅｓ）、表示部１２に通信状態が切り替えられたことを示す第３画面を表示する（ステップＳ３２）。言い換えると、情報端末１０がゲートウェイ装置３０と第１の通信路により通信不可能な状態から通信可能な状態に変化したときには、表示部１２に第３画面を表示する。ここで、情報端末１０がゲートウェイ装置３０と第１の通信路により通信不可能な状態から通信可能な状態に変化したときに表示される第３画面について、図９を用いて説明する。
【００６１】
図９は、第３画面の他の一例を示す図である。図９では、表示部１２に、「ネットワークが宅内に切り替わりました。」と記載された画像１５２を含む第３画面が表示されていることが示されている。ユーザは画像１５２を確認することで、今後、第２画面による機器の制御等ができなくなり、第１画面による機器の制御等ができるようになることがわかる。
【００６２】
そして、制御部１１は、表示部１２に第１画面を表示する（ステップＳ３３）。例えば、図９に示される画像１５２の中の「了解」ボタン（アイコン）が操作されることで、制御部１１は、表示部１２に第１画面を表示する。また、「了解」ボタン（アイコン）が操作されなくても、時間経過により表示部１２に第１画面が表示されてもよい。なお、画像１５２に「了解」ボタンが含まれていなくてもよく、表示部１２に第３画面が表示された後、自動的に、第１画面が表示されてもよい。
【００６３】
制御部１１は、情報端末１０がゲートウェイ装置３０と、第１の通信路により通信不可能であるとき（ステップＳ３１でＮｏ）、表示部１２において、第２画面の表示を維持する（ステップＳ３４）。
【００６４】
このように、制御部１１は、情報端末１０がゲートウェイ装置３０と第１の通信路により通信可能な状態から通信不可能な状態、または、通信不可能な状態から通信可能な状態に変化したとき、通信状態が切り替えられたことを示す第３画面を表示する。
【００６５】
［動作（具体例）］
次に、情報端末１０の動作の具体例について図１０Ａおよび図１０Ｂを用いて説明する。
【００６６】
図１０Ａは、実施の形態に係る情報端末１０の動作の具体例を説明するための図である。図１０Ｂは、図１０Ａにおける各判定時の判定内容を示す図である。図１０Ａ中のＡ、Ｂ１〜Ｂ４、Ｃ、Ｄの点は、情報端末１０がゲートウェイ装置３０と第１の通信路により通信可能であるか否かの判定が行われる時点を示している。図１０Ａでは、Ａ時点で管理アプリケーションがフォアグラウンドで起動した後、左から右へ時間が経過していることを示している。そして、図１０Ｂには、これらＡ時点、Ｂ１時点〜Ｂ４時点、Ｃ時点およびＤ時点での判定時における判定内容を示している。なお、施設５０内を宅内とも呼び、施設５０外を宅外とも呼ぶ。
【００６７】
上記判定は、例えば、管理アプリケーションが起動した時（Ａ時点）、管理アプリケーション上で画面操作等が行われた時（Ｃ時点）、管理アプリケーションがバックグラウンドからフォアグラウンドに復帰した時（Ｄ時点）に行われる。また、上記判定は、定期的に行われる（Ｂ１時点〜Ｂ４時点）。なお、図１０Ａでは、Ｂ１時点とＢ２時点間、Ｂ２時点とＢ３時点間、Ｂ３時点とＢ４時点間の、図面上での間隔は異なるが、時間間隔は同じであるとする。また、情報端末１０を携帯するユーザは、Ａ時点、Ｂ１時点およびＣ時点では施設５０内に居り、Ｃ時点とＢ２時点との間に外出し、Ｂ２時点およびＢ３時点では外出中であり、Ｂ３時点とＢ４時点との間に帰宅し、Ｂ４時点およびＤ時点では施設５０内に居るとする。また、管理アプリケーションは、Ａ時点からＢ３時点ではフォアグラウンドとなっており、Ｂ３時点とＢ４時点との間からＤ時点までバックグラウンドとなり、Ｄ時点でフォアグラウンドに復帰しているとする。
【００６８】
管理アプリケーションが起動されたＡ時点では、情報端末１０は第１の状態（宅内）にあるため、制御部１１は、情報端末１０がゲートウェイ装置３０と第１の通信路により通信可能であると判定する。したがって、表示部１２には第１画面が表示される。
【００６９】
定期的に上記判定が行われるＢ１時点においても、情報端末１０は第１の状態（宅内）にあるため、制御部１１は、Ａ時点と同様に判定し、表示部１２には第１画面の表示が維持される。
【００７０】
ユーザにより管理アプリケーション上で画面操作等が行われたＣ時点においても、情報端末１０は第１の状態（宅内）にあるため、制御部１１は、Ａ時点と同様に判定し、表示部１２には第１画面の表示が維持される。
【００７１】
定期的に上記判定が行われるＢ２時点では、情報端末１０は第２の状態（宅外）にあり、例えば、情報端末１０が公衆のＡＰ２００からの無線ＬＡＮによる信号を受信しておらずモバイル通信を用いているとする。このため、制御部１１は、情報端末１０がゲートウェイ装置３０と第１の通信路により通信不可能であって、モバイル通信を介する第２の通信路により通信可能であると判定する。したがって、表示部１２には第２画面が表示される。
【００７２】
定期的に上記判定が行われるＢ３時点では、情報端末１０は第２の状態（宅外）にあり、例えば、情報端末１０が公衆のＡＰ２００からの無線ＬＡＮによる信号を受信しているとする。このため、制御部１１は、情報端末１０がゲートウェイ装置３０と第１の通信路により通信不可能であって、施設５０外におけるＡＰ２００の無線ＬＡＮを介する第３の通信路により通信可能であると判定する。したがって、表示部１２には第２画面の表示が維持される。
【００７３】
定期的に上記判定が行われるＢ４時点では、情報端末１０は第１の状態（宅内）にあるため、制御部１１は、情報端末１０がゲートウェイ装置３０と第１の通信路により通信可能であると判定する。このとき、第２画面を表示していたＢ３時点から、情報端末１０がゲートウェイ装置３０と第１の通信路により通信不可能な状態から通信可能な状態に変化しているが、管理アプリケーションはバックグラウンドで起動している。このように、所定のアプリケーション（管理アプリケーション）を情報端末１０のバックグラウンドで起動しているときには、情報端末１０がゲートウェイ装置３０と第１の通信路により通信不可能な状態から通信可能な状態に変化したとしても、表示部１２には第３画面が表示されない。管理アプリケーションがバックグラウンドで起動しているときには、表示部１２には例えば別のアプリケーションによる画面またはブラウザ等が表示されており、第３画面を表示する必要がないためである。また、Ｂ４時点で第３画面を表示しなくても、バックグラウンドからフォアグラウンドへの復帰時に第３画面を表示すれば問題ないためである。なお、図示していないが、同じように、管理アプリケーションを情報端末１０のバックグラウンドで起動しているときには、情報端末１０がゲートウェイ装置３０と第１の通信路により通信可能な状態から通信不可能な状態に変化したとしても、表示部１２には第３画面が表示されない。
【００７４】
管理アプリケーションがバックグラウンドからフォアグラウンドに復帰したＤ時点では、情報端末１０は第１の状態（宅内）にあるため、制御部１１は、情報端末１０がゲートウェイ装置３０と第１の通信路により通信可能であると判定する。また、第２画面を表示していたＢ３時点から、情報端末１０がゲートウェイ装置３０と第１の通信路により通信不可能な状態から通信可能な状態に変化しているため、表示部１２には第３画面が表示される。そして、その後、第１画面が表示される。
【００７５】
［まとめ］
以上説明したように、本実施の形態に係る表示方法は、情報端末１０の表示部１２に画面を表示する表示方法である。当該表示方法では、情報端末１０が施設５０に設けられたゲートウェイ装置３０と第１の通信路により通信可能であるとき、表示部１２に第１画面を表示し、情報端末１０がゲートウェイ装置３０と第１の通信路により通信不可能であるとき、表示部１２に第１画面と異なる第２画面を表示する。
【００７６】
これによれば、情報端末１０が第１の通信路により通信可能な状態にある場合と、第１の通信路により通信不可能な状態にある場合とで、それぞれ異なる画面を表示できる。つまり、第１の通信路により通信不可能な状態にある場合に、意図しない第１の画面が表示されない。したがって、情報端末１０のおかれた状態に応じて、適切な画面を表示できる。
【００７７】
また、第１の通信路は、施設５０内で用いられる通信路であってもよい。具体的には、第１の通信路は、施設５０におけるＡＰ２０の無線ＬＡＮを介する通信路であってもよい。
【００７８】
これによれば、情報端末１０がゲートウェイ装置３０と、施設５０内で用いられる第１の通信路により通信可能な状態にある場合と、第１の通信路により通信不可能な状態にある場合（つまり、情報端末１０が施設５０外にある場合）とで、それぞれ異なる画面を表示できる。つまり、情報端末１０が施設５０外にある場合に、意図しない第１の画面が表示されない。したがって、情報端末１０のおかれた状態に応じて、適切な画面を表示できる。
【００７９】
また、情報端末１０がゲートウェイ装置３０と、第１の通信路により通信不可能であるときであって、モバイル通信を介する第２の通信路により通信可能であるとき、表示部１２に第２画面を表示してもよい。また、情報端末１０がゲートウェイ装置３０と、第１の通信路により通信不可能であるときであって、施設５０外におけるＡＰ２００の無線ＬＡＮを介する第３の通信路により通信可能であるとき、表示部１２に第２画面を表示してもよい。
【００８０】
これによれば、情報端末１０がゲートウェイ装置３０と第１の通信路により通信不可能であるときの具体例として、モバイル通信を介する第２の通信路により通信可能であるとき、または、施設５０外におけるＡＰ２００の無線ＬＡＮを介する第３の通信路により通信可能であるときには、意図しない第１画面が表示されず第２画面を表示できる。
【００８１】
また、第１画面は、第１の状態にある情報端末１０から施設５０に設けられた機器を制御するための画像を含み、第２画面は、第１の状態とは異なる第２の状態にある情報端末１０から施設５０に設けられた機器を制御するための画像を含んでいてもよい。具体的には、第１の状態は、施設５０内に存在するという状態であり、第２の状態は、施設５０外に存在するという状態であってもよい。
【００８２】
これによれば、ユーザは、施設５０内に居るときに、施設５０内から施設５０に設けられた機器を制御するための第１画面によって当該機器を制御でき、施設５０外に居るときに、施設５０外から施設５０に設けられた機器を制御するための第２画面によって当該機器を制御できる。
【００８３】
また、情報端末１０がゲートウェイ装置３０と第１の通信路により通信可能な状態から通信不可能な状態、または、通信不可能な状態から通信可能な状態に変化したとき、表示部１２に通信状態が切り替えられたことを示す第３画面を表示してもよい。
【００８４】
これによれば、ユーザは、通信状態が切り替えられたことを容易に認識することができる。
【００８５】
また、第１画面および第２画面は、情報端末１０において所定のアプリケーションを起動しているときに表示される画面であり、所定のアプリケーションを情報端末１０のバックグラウンドで起動しているときには、表示部１２に第３画面を表示しなくてもよい。
【００８６】
これによれば、所定のアプリケーションがバックグラウンドで起動しているときには、表示部１２には例えば別のアプリケーションによる画面またはブラウザ等が表示されており、第３画面を表示する必要がない。したがって、不要な動作が行われないため、消費電力の削減が可能となる。
【００８７】
また、第１の通信路による通信は、情報端末１０において有効または無効を切り替えられるものであってもよい。
【００８８】
これによれば、施設５０内にいながらも、第１の通信路による通信を無効にすることで、第２画面による機器の制御が可能となる。
【００８９】
（その他の実施の形態）
以上、実施の形態に係る表示方法について説明したが、本発明は、上記実施の形態に限定されるものではない。
【００９０】
例えば、上記実施の形態では、１つの管理アプリケーションが起動され、当該１つの管理アプリケーションによって、第１画面および第２画面が表示されたが、これに限らない。例えば、第１画面が第１管理アプリケーションによって表示され、第２画面が当該第１管理アプリケーションと異なる第２管理アプリケーションによって表示されてもよい。この場合、情報端末１０がゲートウェイ装置３０と第１の通信路により通信可能であるときには、第１管理アプリケーションが起動されて表示部１２に第１画面が表示される。また、情報端末１０がゲートウェイ装置３０と第１の通信路により通信不可能であるときには、第２管理アプリケーションが起動されて表示部１２に第２画面が表示される。
【００９１】
また、本発明は、表示方法として実現できるだけでなく、表示方法をコンピュータ（コンピュータシステム）に実行させるためのプログラムとして実現できる。さらに、本発明は、そのプログラムを記録したＣＤ−ＲＯＭ等である非一時的なコンピュータ読み取り可能な記録媒体として実現できる。
【００９２】
例えば、本発明が、プログラム（ソフトウェア）で実現される場合には、コンピュータのＣＰＵ、メモリおよび入出力回路等のハードウェア資源を利用してプログラムが実行されることによって、各ステップが実行される。つまり、ＣＰＵがデータをメモリまたは入出力回路等から取得して演算したり、演算結果をメモリまたは入出力回路等に出力したりすることによって、各ステップが実行される。
【００９３】
また、上記実施の形態の情報端末１０に含まれる各構成要素は、専用または汎用の回路として実現されてもよい。
【００９４】
また、上記実施の形態の情報端末１０に含まれる各構成要素は、集積回路（ＩＣ：Ｉｎｔｅｇｒａｔｅｄ  Ｃｉｒｃｕｉｔ）であるＬＳＩ（Ｌａｒｇｅ  Ｓｃａｌｅ  Ｉｎｔｅｇｒａｔｉｏｎ）として実現されてもよい。
【００９５】
また、集積回路はＬＳＩに限られず、専用回路または汎用プロセッサで実現されてもよい。プログラム可能なＦＰＧＡ（Ｆｉｅｌｄ  Ｐｒｏｇｒａｍｍａｂｌｅ  Ｇａｔｅ  Ａｒｒａｙ）、または、ＬＳＩ内部の回路セルの接続および設定が再構成可能なリコンフィギュラブル・プロセッサが、利用されてもよい。
【００９６】
さらに、半導体技術の進歩または派生する別技術によりＬＳＩに置き換わる集積回路化の技術が登場すれば、当然、その技術を用いて、情報端末１０に含まれる各構成要素の集積回路化が行われてもよい。
【００９７】
その他、実施の形態に対して当業者が思いつく各種変形を施して得られる形態や、本発明の趣旨を逸脱しない範囲で各実施の形態における構成要素および機能を任意に組み合わせることで実現される形態も本発明に含まれる。
【符号の説明】
【００９８】
１０  情報端末
１２  表示部
２０、２００  アクセスポイント（ＡＰ）
３０  ゲートウェイ装置
５０  施設
【図１】
2019153883.tif 000003
【図２】
2019153883.tif 000004
【図３】
2019153883.tif 000005
【図４Ａ】
2019153883.tif 000006
【図４Ｂ】
2019153883.tif 000007
【図５Ａ】
2019153883.tif 000008
【図５Ｂ】
2019153883.tif 000009
【図６】
2019153883.tif 000010
【図７】
2019153883.tif 000011
【図８】
2019153883.tif 000012
【図９】
2019153883.tif 000013
【図１０Ａ】
2019153883.tif 000014
【図１０Ｂ】
2019153883.tif 000015